【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
顔料、溶剤及び分散剤を含有し、該顔料が臭素化亜鉛フタロシアニンを含有し、該分散剤が、親溶媒性を有するＡブロック及び窒素原子を含む官能基を有するＢブロックからなり、アミン価が８０ｍｇＫＯＨ／ｇ以上１５０ｍｇＫＯＨ／ｇ以下（有効固形分換算）であるブロック共重合体を含有することを特徴とする顔料分散液。
【請求項２】
前記ブロック共重合体が、ＡＢブロック、及び／又はＡＢＡブロック共重合体であることを特徴とする請求項１に記載の顔料分散液。
【請求項３】
前記ブロック共重合体が、（メタ）アクリル系ブロック共重合体であることを特徴とする請求項１又は２に記載の顔料分散液。
【請求項４】
前記ブロック共重合体において、窒素原子を含む官能基が１〜３級アミノ基であることを特徴とする請求項１〜３のいずれか１項に記載の顔料分散液。
【請求項５】
前記ブロック共重合体において、１〜３級アミノ基を有する繰返し単位が、ジメチルアミノエチル（メタ）アクリレート由来であることを特徴とする請求項１〜４のいずれか１項に記載の顔料分散液。
【請求項６】
前記ブロック共重合体におけるＡブロックが、下記一般式（ＶＩＩＩ）で表される繰返し単位を有することを特徴とする請求項１〜５のいずれか１項に記載の顔料分散液。
【化１】
2009052010.tif 000001
（上記一般式中、ｎは１〜５の整数を表し、Ｒ１は水素原子又はメチル基を表す。）
【請求項７】
臭素化亜鉛フタロシアニン顔料が、１分子中に臭素原子を平均１３個以上含有することを特徴とする請求項１〜６のいずれか１項に記載の顔料分散液。
【請求項８】
臭素化亜鉛フタロシアニン顔料が、１分子中に塩素原子を平均３個以下含有するか、あるいは塩素原子を含有しないことを特徴とする請求項１〜７のいずれか１項に記載の顔料分散液。
【請求項９】
更にＣ．Ｉ．ピグメントイエロー１３８、Ｃ．Ｉ．ピグメントイエロー１５０、及びＣ．Ｉ．ピグメントイエロー１８５からなる群より選択された少なくとも１種類の黄色顔料を含有することを特徴とする請求項１〜８のいずれか１項に記載の顔料分散液。
【請求項１０】
顔料の平均一次粒径が０．１μｍ以下であることを特徴とする請求項１〜９のいずれか１項に記載の顔料分散液。
【請求項１１】
顔料の含有量が、顔料分散液の全固形分に対し、９０重量％以下、且つ２０重量％以上であることを特徴とする請求項１〜１０のいずれか１項に記載の顔料分散液。
【請求項１２】
分散剤の含有量が、顔料分散液中の顔料全量に対して５〜２００重量％であることを特徴とする請求項１〜１１のいずれか１項に記載の顔料分散液。
【請求項１３】
更に分散樹脂を含有することを特徴とする請求項１〜１２のいずれか１項に記載の顔料分散液。
【請求項１４】
分散樹脂の酸価が１０ｍｇＫＯＨ／ｇ以上、且つ３００ｍｇＫＯＨ／ｇ以下であることを特徴とする請求項１３に記載の顔料分散液。
【請求項１５】
分散樹脂のＧＰＣにて測定したポリスチレン換算の重量平均分子量が、１０００以上、且つ２０００００以下であることを特徴とする請求項１３又は１４に記載の顔料分散液。
【請求項１６】
請求項１〜１５のいずれか１項に記載の顔料分散液、及びバインダー樹脂を含有することを特徴とするカラーフィルタ用着色組成物。
【請求項１７】
顔料、溶剤、分散剤、及びバインダー樹脂を含有し、該顔料が臭素化亜鉛フタロシアニンを含有し、該分散剤が、親溶媒性を有するＡブロック及び窒素原子を含む官能基を有するＢブロックからなり、アミン価が８０ｍｇＫＯＨ／ｇ以上１５０ｍｇＫＯＨ／ｇ以下（有
効固形分換算）であるブロック共重合体を含有することを特徴とするカラーフィルタ用着色組成物。
【請求項１８】
顔料の含有量が、着色組成物の固形分全量に対し、７５重量％以下、且つ１０重量％以上であることを特徴とする請求項１６又は１７に記載のカラーフィルタ用着色組成物。
【請求項１９】
溶剤の含有量が、着色組成物全体に対し、７５重量％以上、且つ９９重量％以下であることを特徴とする請求項１６〜１８のいずれか１項に記載のカラーフィルタ用着色組成物。
【請求項２０】
溶剤が、沸点１００〜２００℃の溶剤を含有することを特徴とする請求項１６〜１９のいずれか１項に記載のカラーフィルタ用着色組成物。
【請求項２１】
溶剤が、グリコールアルキルエーテルアセテート類を含有することを特徴とする請求項１６〜２０のいずれか１項に記載のカラーフィルタ用着色組成物。
【請求項２２】
前記グリコールアルキルエーテルアセテート類が、プロピレングリコールモノメチルエーテルアセテートを含有することを特徴とする請求項２１に記載のカラーフィルタ用着色組成物。
【請求項２３】
溶剤が、沸点１５０℃以上の溶剤を含有することを特徴とする請求項２１又は２２に記載のカラーフィルタ用着色組成物。
【請求項２４】
沸点１５０℃以上の溶剤の割合が、全溶剤中３〜５０重量％であることを特徴とする請求項２３に記載のカラーフィルタ用着色組成物。
【請求項２５】
バインダー樹脂が、
[２−１−１]：エポキシ基含有（メタ）アクリレートと、他のラジカル重合性単量体との共重合体に対し、該共重合体が有するエポキシ基の少なくとも一部に不飽和一塩基酸を付加させてなる樹脂、或いは該付加反応により生じた水酸基の少なくとも一部に多塩基酸無水物を付加させて得られる、アルカリ可溶性樹脂、
[２−１−２]主鎖にカルボキシル基を含有する直鎖状アルカリ可溶性樹脂、 
[２−１−３]前記カルボキシル基含有樹脂のカルボキシル基部分に、エポキシ基含有不飽和化合物を付加させた樹脂、
[２−１−４]（メタ）アクリル系樹脂、及び
[２−１−５]カルボキシル基を有するエポキシ（メタ）アクリレート樹脂、
からなる群より選択された少なくとも１つのバインダー樹脂を含有することを特徴とする請求項１６〜２４のいずれか１項に記載のカラーフィルタ用着色組成物。
【請求項２６】
バインダー樹脂が、
[２−１−１]：エポキシ基含有（メタ）アクリレートと、他のラジカル重合性単量体との共重合体に対し、該共重合体が有するエポキシ基の少なくとも一部に不飽和一塩基酸を付加させてなる樹脂、或いは該付加反応により生じた水酸基の少なくとも一部に多塩基酸無水物を付加させて得られる、アルカリ可溶性樹脂を含有し、
該エポキシ基含有（メタ）アクリレートが、グリシジル（メタ）アクリレート、３，４−エポキシブチル（メタ）アクリレート、（３，４−エポキシシクロヘキシル）メチル（メタ）アクリレート、及び４−ヒドロキシブチル（メタ）アクリレートグリシジルエーテルからなる群より選択された少なくとも１つの化合物を含有することを特徴とする請求項１６〜２５のいずれか１項に記載のカラーフィルタ用着色組成物。
【請求項２７】
バインダー樹脂が、
［２−１−１］エポキシ基含有（メタ）アクリレートと、他のラジカル重合性単量体との共重合体に対し、該共重合体が有するエポキシ基の少なくとも一部に不飽和一塩基酸を付加させてなる樹脂、或いは該付加反応により生じた水酸基の少なくとも一部に多塩基酸無水物を付加させて得られる、アルカリ可溶性樹脂を含有し、
該他のラジカル重合性単量体が、下記一般式（２）で表わされる構造を有するモノ（メタ）アクリレート、ビニル芳香族類、ジエン類、（メタ）アクリル酸エステル類（但し、下記一般式（２）で表わされる構造を有するモノ（メタ）アクリレートを除く）、（メタ）アクリル酸アミド、ビニル化合物類、不飽和ジカルボン酸ジエステル類、モノマレイミド類、及びＮー（メタ）アクリロイルフタルイミドより選択された少なくとも１つの化合物を含有することを特徴とする請求項１６〜２６のいずれか１項に記載のカラーフィルタ用着色組成物。
【化２】
2009052010.tif 000002
（上記一般式（２）中、Ｒ９は水素原子又はメチル基を示し、Ｒ１０は下記一般式（１）の構造を示す。）
【化３】
2009052010.tif 000003
（上記一般式（１）中、Ｒ１〜Ｒ６は各々独立して、水素原子、又は炭素数１〜３のアルキル基を示し、Ｒ7及びＲ8は各々独立して、水素原子、炭素数１〜３のアルキル基、又は連結して環を形成していてもよい。）
【請求項２８】
バインダー樹脂の含有割合が、着色組成物の全固形分中において、０．１重量％以上、且つ８０重量％以下であることを特徴とする請求項１６〜２７のいずれか１項に記載のカラーフィルタ用着色組成物。
【請求項２９】
更に光重合性モノマーを含有することを特徴とする請求項１６〜２８のいずれか１項に記載のカラーフィルタ用着色組成物。
【請求項３０】
光重合性モノマーが、エチレン性二重結合を少なくとも１つ有する付加重合可能な化合物を含有することを特徴とする請求項２９に記載のカラーフィルタ用着色組成物。
【請求項３１】
エチレン性二重結合を少なくとも１つ有する付加重合可能な化合物の配合率が、着色組成物の全固形分中において、５重量％以上、且つ８０重量％以下であることを特徴とする請求項３０に記載のカラーフィルタ用着色組成物。
【請求項３２】
エチレン性二重結合を少なくとも１つ有する付加重合可能な化合物の配合率が、顔料の全量に対し、５重量％以上、且つ２００重量％以下であることを特徴とする請求項３０又は３１に記載のカラーフィルタ用着色組成物。
【請求項３３】
更に光重合開始系を含有してなる請求項１６〜３２のいずれか１項に記載のカラーフィルタ用着色組成物。
【請求項３４】
光重合開始系が、ハロメチル化トリアジン誘導体、ハロメチル化オキサジアゾール誘導体、イミダゾール誘導体、ベンゾインアルキルエーテル類、アントラキノン誘導体、ベンゾフェノン誘導体、チタノセン誘導体、アセトフェノン誘導体、チオキサントン誘導体、フェナジン誘導体、安息香酸エステル誘導体、アクリジン誘導体、アンスロン誘導体、α−アミノアルキルフェノン系化合物、オキシムエステル系化合物からなる群より選択された少なくとも１つの化合物を含有することを特徴とする請求項３３に記載のカラーフィルタ用着色組成物。
【請求項３５】
光重合開始系が、更にＮ，Ｎ−ジアルキルアミノ安息香酸アルキルエステル、複素環を有するメルカプト化合物又は脂肪族多官能メルカプト化合物からなる群より選択された少なくとも１つの化合物を含有することを特徴とする請求項３３又は３４に記載のカラーフィルタ用着色組成物。
【請求項３６】
光重合開始系が、更にアミノ基及びフェニル基を同一分子内に有する化合物を含有することを特徴とする請求項３３〜３５のいずれか１項に記載のカラーフィルタ用着色組成物。
【請求項３７】
光重合開始系成分の配合割合が、着色組成物の全固形分中において、０．１〜４０重量％であることを特徴とする請求項３３〜３６のいずれか１項に記載のカラーフィルタ用着色組成物。
【請求項３８】
請求項１６〜３７のいずれか１項に記載のカラーフィルタ用着色組成物を用いて作製した画素を有することを特徴とするカラーフィルタ。
【請求項３９】
請求項３８に記載のカラーフィルタと、液晶駆動用基板を対向させ、両者の間に液晶を封入してなることを特徴とする液晶表示装置。